(57)【要約】【課題】回胴式遊技機において、入賞タイミングの認知が可能な不正器具を用いた不正行為を防止するためのスタートレバー装置及び方法を提供する。【解決手段】回胴式遊技機のスタートレバーの押下による入力を遊技機内部の入賞抽選用の電子回路に伝達する装置に線径の細いスプリング７を装着して、レバーノブ１の押下と電子回路への入力のタイミング、すなわち被検出部８が始動検知センサー９の外部に移動するタイミングを不規則に変化させることにより、付加的な不正行為検知装置を追加したり、入賞抽選回路に修正を加えたりすることなく、遊技者が不正器具を用いて入賞タイミングを知ることが不可能にする。【選択図】図４
2006110311.tif 000002
【特許請求の範囲】
【請求項１】
入賞および外れのコマが配置されたリールを回転させて、スタートレバーを押下するタイミングに応じて入賞または外れを決定し、入賞時にメダルを払出するように設計された回胴式遊技機において、入賞を決定するための電子回路に変更を加えることなく、遊技機のスタートレバー押下に対する応答に不規則性を加えて不正遊技を未然に防止することを特徴とする回胴式遊技機の不正防止方法。
【請求項２】
入賞および外れのコマが配置されたリールを回転させて、スタートレバーを押下するタイミングに応じて入賞または外れを決定し、入賞時にメダルを払出するように設計された回胴式遊技機において、入賞を決定するための電子回路に変更を加えることなく、遊技機のスタートレバー押下に対する応答に不規則性を加えて不正遊技を未然に防止することを特徴とする回胴式遊技機の不正防止装置。
【発明の詳細な説明】
【技術分野】
【０００１】本発明は、パチスロ機などの遊技機に対して物理的な不正器具を用いて行われる不正遊技行為の防止方法及び装置に関するものである。
【背景技術】
【０００２】近年、パチスロ機等の遊技機において不正な遊技を行って出玉を搾取する遊技者が後を絶たず、遊技業界全体での被害は年間数百億円に上るとも試算されている。このような不正行為に対しては、不正を行う目的で遊技機に照射された電波を検知する方法や、コインの払出口にセンサーを設け、コインの過剰な払出を検知して不正行為を判定する方法、あるいは、確率的には起こりえない連続入賞を検知して警報を発する方法などが提案されている（例えば、特許文献１及び２参照。）。【０００３】
【特許文献１】特開２００２−２１００７７公報
【０００４】
【特許文献２】特開２００４−２４２７１９公報
【発明の開示】
【発明が解決しようとする課題】
【０００５】近年、回胴式遊技機の入賞のタイミングを感知する不正器具を利用し、不正行為に及ぶ遊技者が多く存在することが報告されている。回胴式遊技機では、リールの回転を開始させるスタートレバーを操作した瞬間に、遊技機内部のマイコンが一定の確率で抽選して入賞（ボーナスゲーム）の成否を決定し、リールを停止させるように設計されている。入賞コマ停止はスタートレバーの瞬間的なタイミングによって決定されるため、遊技者が入賞のタイミングを体得して入賞を連続させることは非常に困難である。【０００６】一方、回胴式遊技機においてスタートレバーの押下を入賞のタイミングと同期させ、そのタイミングを記憶して遊技者に知らしめる、ワンチップマイコンを搭載した不正器具、所謂体感機の存在が知られている。スタートレバーに吊り下げて用いる電磁ソレノイドや、低周波振動機、振動センサーなどとこの不正器具を組み合わせて使用することにより、遊技者は入賞が確実になるタイミングでスタートレバーを押下することが可能となり、労せずして入賞し続けることが可能である。【０００７】本発明は、遊技者がこのような不正器具を用いた不正遊技を行うことができないようにする不正行為防止方法及び装置を提供する。
【課題を解決するための手段】
【０００８】本発明の回胴式遊技機に対する不正行為防止方法は、スタートレバーの押下されるタイミングに応じて入賞・外れを決定し、入賞時にメダルを払出するようにされた回胴式遊技機において、スタートレバーの押下されるタイミングを不規則に変化させて不正器具を用いた遊技による不当なメダルの獲得を防止することを特徴とする。【０００９】本発明における不正防止の原理について説明する。不正器具を使用する遊技者は、まず、数〜数十回ゲームを行いながら、入賞のタイミングを得て入賞コマで停止させる。さらにワンチップマイコン搭載のタイミング検知可能な不正器具で、入賞のタイミングを調節しながら電磁ソレノイドや振動機器を用いてスタートレバーを押下することにより、遊技者が通常では確率的には不可能な連続入賞を獲得できる。このような不正遊技は、入賞のタイミングを遊技機内部の入賞決定装置の周期が、遊技者が使用する不正器具により知られることにより行われてしまう。したがって、遊技機の入力であるスタートレバー押下のタイミングを不規則に変化させ、入賞抽選の決定を不正器具により同期されないようにすることで、不正遊技を未然に防止することができるのが本発明の特徴である。
【実施例】
【００１０】図１は本発明に係る回胴式遊技機のスタートレバー装置の外観を示すものである。遊技者はノブ１を上下動させることによりゲームをスタートさせることができ、その動作は棒状体２を伝わり筒状体３に固定された軸４を水平回転軸として、筒状体５内部の動作検知部に伝えられる。【００１１】図２はスタートレバー装置の筒状体３及び筒状体５を除いた内部を示すものの正面図であり、図３は同様の平面図である。棒状体２にはワッシャ６及びスプリング７が装着され、先端には被検出部８が固定されている。レバー静止時には被検出部８は始動検知センサー９の発光部９ａと受光部９ｂの間に位置するため、光路が遮断されている。【００１２】次に遊技者がスタートレバーを押下した時のスタートレバー装置内部の状態を図４に示す。レバーの押下に伴って棒状体２は軸４を作用点として揺動し、筒状体３の内部に装着された固定板１１にワッシャ６が押し付けられてスプリング７を圧縮する。このとき、被検出部８が始動検知センサー９の外部に出るため光路の遮断がなくなり、この信号が始動検知回路１０を通じて入賞を抽選する遊技機内部の回路に伝達される。すなわち、遊技機における入賞抽選はレバーの押下に対応した被検出部移動のタイミングで決定される。通常のスプリングを使用すると復元力が強いため、外部から不正器具を用いて遊技者が入賞のタイミングを認知している場合、ノブ１の操作に対する被検出部８の応答が一定となるため入賞のタイミングを認知している遊技者は入賞コマで停止させることができる。【００１３】これに対して、通常用いられているスプリング（線径０．７ｍｍ）より細くしたスプリング（線径０．５ｍｍ）を用いると、ノブ１の押下による被検知部８の応答が不規則性を付加してずれることになり、被検出部８による始動検知センサー９の光路の遮断は、遊技者には操作不可能になり、たとえ不正器具を用いたとしても入賞タイミングの認知は不可能となる。【００１４】本発明の要旨は、回胴式遊技機のスタートレバーの押下による入力を遊技機内部の入賞抽選用の電子回路に伝達する装置に細いスプリングを使用することにより、レバーの押下と電子回路への入力のタイミングを不規則に変化させることにより、付加的な不正行為検知装置を追加したり、入賞抽選回路に修正を加えたりすることなく、遊技者が不正器具を用いて入賞タイミングの認知を不可能にすることにある。
【発明の効果】
【００１５】本発明では、回胴式遊技機において、入賞の当選確率を決定する電子回路に変更を加えることなく、ワンチップマイコン搭載のタイミング検知可能な不正器具を用いた不正遊技を防止することができるという優れた効果がある。
【図面の簡単な説明】
【図１】遊技機のスタートレバー装置の外観を示す。
【図２】遊技機のスタートレバー装置内部の正面図を示す。
【図３】遊技機のスタートレバー装置内部の平面図を示す。
【図４】遊技機のスタートレバー押下時の装置内部の正面図を示す。
【符号の説明】
１  スタートレバーノブ
２  棒状体
３  筒状体
４  軸
５  筒状体
６  ワッシャ
７  スプリング
８  被検出部
９  始動検出センサー
９ａ  発光部
９ｂ  受光部
１０  始動検知回路
１１  固定板
【図１】
2006110311.tif 000003
【図２】
2006110311.tif 000004
【図３】
2006110311.tif 000005
【図４】
2006110311.tif 000006